(57)【要約】【課題】  吐出水が外に飛散することを抑止することができるスピットンを提供する。【解決手段】  底面部１２を、排水部１１の周囲である内周区域１４と、この内周区域１４の外周である外周区域１５とに区分し、患者が吐出する位置が内周区域１４内であることを示す境界部１６を段差として形成して、スピットン１０を構成する。【選択図】  図２
2016220857.tif 000002
【特許請求の範囲】
【請求項１】
排水部が形成された底面部の外縁に、側壁部が立ち上がって形成されたスピットンにおいて、
前記底面部が、前記排水部の周囲である内周区域と、この内周区域の外周である外周区域とに区分され、前記内周区域と前記外周区域との間に形成された境界部により、吐出される位置が前記外周区域よりも前記内周区域側であることが示された、
ことを特徴とするスピットン。
【請求項２】
前記外周区域が、前記内周区域よりも高い位置に配置され、前記境界部が、前記内周区域と前記外周区域との段差である、
ことを特徴とする請求項１に記載されたスピットン。
【請求項３】
前記吐出水を流すための水が前記外周区域に流される、
ことを特徴とする請求項１または請求項２に記載されたスピットン。
【請求項４】
水平に対する前記外周区域の傾斜角度が約０度から約７度である、
ことを特徴とする請求項１から請求項３のいずれか１項に記載されたスピットン。
【請求項５】
水平に対する前記内周区域および前記外周区域の傾斜角度が約７度である、
ことを特徴とする請求項１から請求項４のいずれか１項に記載されたスピットン。
【請求項６】
水を給排水する給排水部に対して着脱自在である、
ことを特徴とする請求項１から請求項５のいずれか１項に記載されたスピットン。
【請求項７】
前記排水部を中心として対称に形成された円形である、
ことを特徴とする請求項１から請求項６のいずれか１項に記載されたスピットン。
【請求項８】
前記境界部が角張って形成された、
ことを特徴とする請求項１から請求項７のいずれか１項に記載されたスピットン。
【発明の詳細な説明】
【技術分野】
【０００１】
本発明は、歯科治療において患者がうがいを行う際に用いられるスピットンに関するものである。
【背景技術】
【０００２】
従来、歯科治療では、治療で削られた歯、血液、唾液などを吐出させて患者にうがいをさせる必要があるため、歯科用診療装置にスピットン部が備えられている。このスピットン部は、底面部と側壁部とで形成された器であるスピットンと、このスピットンを洗浄する洗浄機構とが備えられている。この様なスピットン部として、例えば、下記特許文献１に記載された歯科用吐き出し物受け装置がある。
【０００３】
歯科用吐き出し物受け装置は、底面部が排水口に向かって、水平面に対して約１５度傾斜し、患者に対して手前側が広く形成されている。また、手前側では奥側と比べて側壁部が浅く形成されている。
【先行技術文献】
【特許文献】
【０００４】
【特許文献１】特開昭５９−８９５５号公報
【発明の概要】
【発明が解決しようとする課題】
【０００５】
しかし、特許文献１に記載された歯科用吐き出し物受け装置は、患者の手前側では、底面部が広く形成されている分、側壁部が奥側と比べて浅く形成されていることから、底面部と患者との間隔が狭いため、吐出された吐出水が、底面部に当って患者に向けて跳ね返る場合や、側面部を越えて患者に掛かる場合がある。
【０００６】
本発明は、上記の実情に鑑みて提案されたものである。すなわち、吐出水が外に飛散することを抑止することができるスピットンの提供を目的とする。
【課題を解決するための手段】
【０００７】
上記目的を達成するために、本発明に係るスピットンは、排水部が形成された底面部の外縁に、側壁部が立ち上がって形成されたスピットンにおいて、前記底面部が、前記排水部の周囲である内周区域と、この内周区域の外周である外周区域とに区分され、前記内周区域と前記外周区域との間に形成された境界部により、吐出される位置が前記外周区域よりも前記内周区域側であることが示された、ことを特徴としている。
【０００８】
本発明に係るスピットンは、前記外周区域が、前記内周区域よりも高い位置に配置され、前記境界部が、前記内周区域と前記外周区域との段差である、ことを特徴としている。
【０００９】
本発明に係るスピットンは、前記吐出水を流すための水が前記外周区域に流される、ことを特徴としている。
【００１０】
本発明に係るスピットンは、水平に対する前記外周区域の傾斜角度が約０度から約７度である、ことを特徴としている。
【００１１】
本発明に係るスピットンは、水平に対する前記内周区域および前記外周区域の傾斜角度が約７度である、ことを特徴としている。
【００１２】
本発明に係るスピットンは、水を給排水する給排水部に対して着脱自在である、ことを特徴としている。
【００１３】
本発明に係るスピットンは、前記排水部を中心として対称に形成された円形である、ことを特徴としている。
【００１４】
本発明に係るスピットンは、前記境界部が角張って形成された、ことを特徴としている。
【発明の効果】
【００１５】
本発明に係るスピットンは上記した構成である。すなわち、患者が底面部のうち、外周区域よりも内周区域側（すなわち、外周区域を除いた境界部および内周区域、好ましくは境界部近傍）に吐出すると、吐出水は跳ね返るが、分散して境界部に沿って流れることで全体として勢いを失い、飛散が側壁部の内側に抑えられて側壁部を越えることがない。したがって、吐出水が側壁部の外に飛散することを抑止することができる。また、吐出される範囲を示す境界部が形成されているため、患者は、内周区域と外周区域を識別可能であり、境界部を視認し、吐出に適する位置を認識することができる。
【００１６】
本発明に係るスピットンは、外周区域が、内周区域よりも高い位置に配置され、境界部が、内周区域と外周区域との段差である。この構成により、吐出された吐出水が跳ね返るが、その際、段差は、吐出水を分散させて全体的な吐出水の勢いを減衰させる役割を果たし、吐出水が側壁部からスピットンの外側に流れ出ることを抑止することができる。
【００１７】
本発明に係るスピットンは、吐出水を流すための水が外周区域に流される。この構成により、吐出水を流す水が、境界部の縁に沿って流れ、外周区域を周回する。したがって、底面部を効率よく洗浄することができる。
【００１８】
本発明に係るスピットンは、水平に対する外周区域の傾斜角度が約０度から約７度である。この構成により、吐出水を流すための水が給水されると、水は外周区域を周回し、周回しながら勢いが減衰して内周区域に流れ落ち、底面部を洗浄して排水される。すなわち、水は、内周区域に流れる前に、外周区域に行き届いて外周区域を洗浄し、その後に内周区域を洗浄する。したがって、底面部をさらに効率よく洗浄することができる。
【００１９】
本発明に係るスピットンは、水平に対する内周区域および外周区域の傾斜角度が約７度である。この構成により、吐出水を流すための水は、外周区域を洗浄した後、内周区域に落ち、内周区域を洗浄して排水される。すなわち、水は、外周区域に行き届いて外周区域を洗浄し、その後に内周区域に行き届いて内周区域を洗浄する。したがって、底面部をさらに効率よく洗浄することができる。
【００２０】
本発明に係るスピットンは、水を給排水する給排水部に対して着脱自在である。したがって、簡単に洗浄および交換をすることができる。
【００２１】
本発明に係るスピットンは、排水部を中心として対称に形成された円形である。したがって、どのような向きであっても着脱することができる。
【００２２】
本発明に係るスピットンは、境界部が角張って形成されている。この構成により、段差が顕著となるため、吐出水が境界部を越えて外周区域に流れることが効果的に抑止される。また、吐出水を流す水が、角張った縁に沿って流れ、効率よく外周区域を周回する。したがって、底面部をさらに効率よく洗浄することができる。
【図面の簡単な説明】
【００２３】
【図１】本発明の実施形態に係るスピットンが備えられた歯科用診療装置の外観図である。
【図２】本発明の実施形態に係るスピットンが示され、（ａ）が平面図、（ｂ）が側面図、（ｃ）が側面Ａ−Ａ断面図である。
【図３】本発明の実施形態に係るスピットンが示された外観斜視図である。
【図４】本発明の実施形態に係るスピットンにおける吐出水の流れが示され、（ａ）が平面図、（ｂ）が斜視図である。
【発明を実施するための形態】
【００２４】
以下に、本発明の実施形態に係るスピットンを図面に基づいて説明する。図１は、本発明の実施形態に係るスピットン１０が備えられた歯科用診療装置１の外観が示され、図２は、スピットン１０の外観が示されている。なお、以下の説明では、図２において、スピットン１０の高さを上下方向とし、上方から視した面を平面とし、側方から視した面を側面とする。また、重力の方向と直交する向きを水平とし（図２（ｃ）符号７参照）、スピットンは水平に設置されるものとする。
【００２５】
図１に示されているとおり、本実施形態に係るスピットン１０は、歯科医療施設に設置された歯科用診療装置１に備えられている。歯科用診療装置１は、患者が着座する椅子部２と、この椅子部２に隣接して備えられた診療装置本体部３と、この診療装置本体部３の上に載せられた給排水部４とが備えられている。給排水部４は、排水台座部５と給水部６とが備えられ、その間にスピットン１０が配置されている。スピットン１０は、給排水部４に対して着脱可能である。
【００２６】
図２および図３に示されているとおり、スピットン１０は、中心に排水部１１としての孔が形成されたほぼ平坦な円盤状の底面部１２の外周縁に、円環状の側壁部１３が立ち上がって形成された容器である。すなわち、スピットン１０は、排水部１１を中心として側方が対称に形成されている。
【００２７】
底面部１２は、排水部１１の周囲である内周区域１４と、この内周区域１４の外周である外周区域１５に区分される。内周区域１４と外周区域１５の境界は、内周区域１４の範囲を示す境界部１６が形成されている。
【００２８】
内周区域１４は、吐出水が吐出される境界部１６より内側の範囲であり、飛散してきた吐出水を外側へ飛散させず、側壁部１３の内側に跳ね返すことができる範囲である。内周区域１４は、側方から排水部１１に至って、下方に向けて緩やかに傾斜している。内周区域１４の傾斜角度は、水平線７を基準として約７度である。内周区域１４は、側面から視して、中心から側方における幅が、外周区域１５の幅よりも広く、底面部１２のうち、約３／４（四分の三）を占めている。また、高さ方向において、側壁部１３の約２／７（七分の二）の高さから下方に向けて傾斜している。
【００２９】
外周区域１５は、境界部１６の外側に設けられ、スピットン１０内に飛散した吐出水を流す水が流れる範囲のことである。外周区域１５は、側方から排水部１１に至って、内周区域１４よりも高い位置に形成され、下方に向けて緩やかに傾斜している。外周区域１５の傾斜角度は、水平線７を基準として約０度から７度であるが、内周区域１４の傾斜角度と同一の約７度であることが好ましい。外周区域１５は、側面から視して、中心から側方における幅が、内周区域１４の幅よりも狭く、底面部１２のうち、約１／４（四分の一）を占めている。また、高さ方向において、側壁部１３の約３／７（七分の三）の高さから下方に向けて傾斜し、内周区域１４に連接されている。
【００３０】
各区域１４，１５では、水を排水部１１に向けて流すための角度が必要である一方で、各区域１４，１５のすべての範囲に水を行き届かせて底面部１２を洗浄する必要がある。すなわち、傾斜角度が急である場合、水が排水部１１に向けて効率よく流れるが、各区域１４，１５のすべての範囲に水が行き届かない。一方で、傾斜角度が０度である場合（または０度に近い場合）、各区域１４，１５のすべての範囲に水が行き届くが、水が排水部１１に向かって流れ難い。そこで、水を排水部１１に向けて流し、かつ、各区域１４，１５のすべての範囲に水を行き届かせるための最適な角度を、水平線７を基準として約７度とする。
【００３１】
境界部１６は、内周区域１４と外周区域１５を識別させ、吐出される位置が外周区域１５よりも内周区域１４側（すなわち、外周区域１５を除いた境界部１６および内周区域１４、好ましくは、境界部１６近傍）であること、すなわち吐出に適する位置を示し、それぞれ高さが異なる内周区域１４と外周区域１５との間に設けられた段差である。段差は、角張って形成されている。詳説すれば、境界部１６は、水平線７に対してほぼ垂直に形成され、また、外周区域１５と連接された上端縁および内周区域１４と連接された下端縁が角張って形成されている。すなわち、境界部１６の上下端は、いわゆるアール形状ではないことが好ましい。境界部１６における内周区域１４と外周区域１５との高低差（すなわち、段差の高さ）は、側壁部１３の約１／７（七分の一）である。なお、境界部１６は、色彩が付されていてもよい。
【００３２】
上記のとおり、本実施形態に係るスピットン１０が形成されている。次に、スピットン１０の効果を、作用と共に説明する。図４は、本発明の実施形態に係るスピットン１０における吐出水の流れが示されている。
【００３３】
上記したとおり、本実施形態によれば、排水部１１の周囲である内周区域１４は、境界部１６を介し、外周に外周区域１５が形成されている。境界部１６は、患者が水を吐出することに適した位置であり、その内側の範囲に設けられた内周区域１４は、内周区域１４に飛散してきた吐出水を外側へ飛散させず、側壁部１３の内側に跳ね返すことができる範囲である。すなわち、内周区域１４が、外周区域１５を介して側壁部１３から離れているため、患者が境界部１６付近の吐出位置１８に吐出すると、吐出水が底面部１２に当って吐出水の一部は内周区域１４に跳ね返るが、図４に示されているとおり、吐出水の内周区域１４への飛散は境界部１６によって、境界部１６と内周区域１４の縁の接合部に沿って流れるよう誘導され、境界部内１６側に抑えられる（図４、破線の流路１７参照）。また、これにより外周区域１５に飛散する吐出水は流量および勢いが減少するため、総じて吐出水が側壁部１３を越えることがない。したがって、吐出水が側壁部１３の外に飛散することを抑止することができる。
【００３４】
本実施形態によれば、吐出水を流す水が外周区域１５を流れる。この構成により、吐出水を流す水が、段差の縁に沿って流れ、外周区域１５を周回する。したがって、底面部１２を効率よく洗浄することができる。
【００３５】
本実施形態によれば、外周区域１５は、側方から排水部１１に至って、内周区域１４よりも高い位置に形成されている。そのため、それぞれ高さが異なる内周区域１４と外周区域１５との間に、境界部１６として段差が形成されている。この構成により、図４において、境界部１６付近の吐出位置１８に吐出された吐出水は底面部１２に当って跳ね返るが、吐出水の内周区域１４への飛散は境界部１６によって、境界部１６と内周区域１４の縁の接合部に沿って流れるよう誘導され、境界部内１４側に抑えられる（図４、破線の流路１７参照）。また、これにより外周区域１５に飛散する吐出水は流量および勢いが減少するため、総じて吐出水が側壁部１３を越えることがない。したがって、吐出水が側壁部１３の外に飛散することを抑止することができる。
【００３６】
さらに、境界部１６である段差は、角張って形成され、段差が顕著であるため、吐出水が段差を越えて外周区域１５に流れることが効果的に抑止される。また、吐出水を流す水が、段差の角張った縁に沿って流れ、効率よく外周区域１５を周回する。したがって、底面部１２をさらに効率よく洗浄することができる。
【００３７】
また、境界部１６は、水平線７に対してほぼ垂直に形成されて切り立っている。この構成により、流路１７に沿って流れる吐出水は、境界部１６に衝突して内周区域１４に向けて跳ね返るため、境界部１６を越えることができない。したがって、吐出水が側壁部１３の外に飛散することを抑止することができる。
【００３８】
また、外周区域１５と連接された上端縁および内周区域１４と連接された下端縁が角張って形成されている。すなわち、境界部１６の上下端は、いわゆるアール形状ではないことから、アール形状である場合と比較して、境界部１６の高さが増すため、吐出水は境界部１６を越えることができない。したがって、吐出水が側壁部１３の外に飛散することを抑止することができる。
【００３９】
本実施形態によれば、内周区域１４の傾斜角度および外周区域１５の傾斜角度が、それぞれ水平線７を基準として約７度である。この構成により、吐出水を流すための水が給水されると、水は外周区域１５を周回し、周回した後、勢いが減衰して内周区域１４に流れる。水は内周区域１４を周回して底面部１２を洗浄して排水される。すなわち、水は、内周区域１４に流れる前に、外周区域１５のすべての範囲に行き届いて外周区域１５を洗浄し、その後に内周区域１４のすべての範囲に行き届いて内周区域１４を洗浄する。したがって、底面部１２をさらに効率よく洗浄することができる。
【００４０】
本実施形態によれば、スピットン１０は、給排水部４に対して着脱可能である。
したがって、簡単に洗浄および交換をすることができる。
【００４１】
本実施形態によれば、スピットン１０は、排水部１１を中心として側方が対称に形成されている。したがって、どのような向きであっても給排水部４に対して着脱することができる。さらに、吐出する際の患者の姿勢や吐出位置が、内周区域１４において任意であるため、正しい姿勢をとれない高齢の患者や様々な体格の患者に対応することができる。
【００４２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４３】
１                歯科用診療装置
２                椅子部
３                診療装置本体
４                給排水部
５                排水台座部
６                給水部
７                水平線
１０              スピットン
１１              排水部
１２              底面部
１３              側壁部
１４              内周区域
１５              外周区域
１６              境界部
１７              流路
１８              吐出位置
【図１】
2016220857.tif 000003
【図２】
2016220857.tif 000004
【図３】
2016220857.tif 000005
【図４】
2016220857.tif 000006